(57)【要約】【課題】            枠体の前面の冷風吹出し口から吹出す冷風を任意場所に誘導するダクトを取付け、冷風の吹出し範囲を変更可能にするダクト構造に関する。【解決手段】        枠体１内の圧縮機２とコンデンサ３と減圧器４とエバポレータ５とで冷凍サイクルを構成し、冷風吹出し口５ｂには冷風の吹出し方向を変更する伸縮可能な冷風吐出ダクト７を取付け、冷風吐出ダクト７の先端には扁平な冷風吐出部８を冷風吐出部固定手段１０によって着脱可能に取付ける。冷風吐出部８の長手方向の寸法は冷風吐出ダクト７の外径よりも大きくし、冷風吐出部８の内部には軸９ａを中心に可変可能なルーバ９を設け、ルーバ９の角度を変更することによって冷風吐出部８から吹出す冷風の範囲を変更する。また、冷風吐出部８にはルーバ角度規制手段８ａを設け、該ルーバ角度規制手段８ａによってルーバ９を所定の角度に維持して冷風の吹出し域を所定の範囲に固定することができる。【選択図】          図１
2005249288.tif 000002
【特許請求の範囲】
【請求項１】
空気調和機の枠体１内には、
冷媒を圧縮する圧縮機２と、高温のガス状冷媒が送られるコンデンサ３と、液化した冷媒が減圧器４を介して送られるエバポレータ５と、コンデンサ３及びエバポレータ５のそれぞれに送風する送風ファン３ａ・５ａと、エバポレータ５の送風ファン５ａの吐出口に接続する冷風吹出し口５ｂとを設け、
前記エバポレータ５で気化した冷媒が圧縮機２に戻される冷凍サイクルを構成する一体形の空気調和機において、
前記冷風吹出し口５ｂには、吹出方向を変更可能とする伸縮可能な冷風吐出ダクト７を装着したダクト基部６を取付け、
該冷風吐出ダクト７の先端には扁平な冷風吐出部８を備え、
該冷風吐出部８の長手方向の寸法は、冷風吐出ダクト７の外径よりも大きくし、
該冷風吐出部８の内部に装着したルーバ９は軸９ａを中心に角度が可変可能であることを特徴とする空気調和機の冷風吐出部構造。
【請求項２】
前記冷風吐出部８にはルーバ角度規制手段８ａを有し、該ルーバ９はこのルーバ角度規制手段８ａによって、吹出し方向を所定の角度に維持できることを特徴とする請求項１に記載の空気調和機の冷風吐出部構造。
【請求項３】
前記冷風吐出ダクト７の先端部と、冷風吐出部８との間に冷風吐出部固定手段１０を備え、
該冷風吐出部固定手段１０によって冷風吐出ダクト７の先端から冷風吐出部８を着脱可能にすることを特徴とする空気調和機の冷風吐出部構造。
【発明の詳細な説明】
【技術分野】
【０００１】
この発明は冷凍サイクルを利用して局所の空気調和を行う空気調和機の冷風吐出ダクト構造に関するものである。
【背景技術】
【０００２】
枠体内には冷媒を圧縮する圧縮機と、圧縮された高温のガス状冷媒が送られるコンデンサと、コンデンサで液化した冷媒が減圧器を介して送られるエバポレータとを備え、該エバポレータで気化した冷媒が圧縮機に戻されることによって冷凍サイクルを構成している。
【０００３】
前記コンデンサとエバポレータには送風ファンを備えて常時送風されており、前記冷媒が圧縮機で加圧されると高温高圧になり、この冷媒はコンデンサを通過する空気流と熱交換して液化する。そして、この液化した高圧の冷媒は減圧器を経て圧力を下げてエバポレータに送られて気化し、この気化熱によってエバポレータを通過する空気を冷却しており、一方、この気化した冷媒は再び圧縮機で加圧されてコンデンサに送られる。
【０００４】
前記冷媒がエバポレータ内で気化すれば該エバポレータが低温度になるから、送風ファンにより送られた空気流はエバポレータを通過する時に冷却され、枠体の冷風吹出し口から吹出すことで冷風機と呼ばれる空気調和機を構成している。
【０００５】
上記のように空気調和機は枠体の冷風吹出し口から冷風を吹出しており、冷風吹出し口の正面にいる人の位置に冷風を吹き付ける構成となっている。このような冷風を受ける位置の制限をなくすために、冷風吹出し口にフレキシブルな冷風吐出ダクトを取り付けて、その先端を希望する位置に向けて、冷風を吹出すことが考えられる（特許文献１参照）。
【特許文献１】特願２００２−３７７４３９
【発明の開示】
【発明が解決しようとする課題】
【０００６】
このようにフレキシブルな冷風吐出ダクトを用いる時は、冷風吹出し域が冷風吐出ダクトの断面積に依存し、ダクトの正面においてダクト径より広範囲に冷風を出すことは困難で、上記の空気調和機の効果を得られるのはごく限られた範囲しかなく、使用者が少しでも移動すると冷風効果の得られない場所に来てしまい、上記空気調和機は意味を成さなくなる。
【０００７】
また、冷風吐出ダクトの断面は通常円形であり、左右または上下方向に広く冷風を届かせるといったことができず、使用者が横方向に移動する為左右に冷風の吹出し範囲を広げるとか、使用者の体全体を冷やす為上下方向に吹出し範囲を広くするなどということは不可能である。
【０００８】
更に、既存の冷風吐出ダクト構造には冷風の整流手段がないので、冷風吹出し域を広くし広範囲に緩やかな冷風を届くようにするとか、逆に狭くして局部的に強力な冷風を供給するなどといったことが出来ない。
【課題を解決するための手段】
【０００９】
この発明は上記課題を解決するもので、空気調和機の枠体１内には、冷媒を圧縮する圧縮機２と、高温のガス状冷媒が送られるコンデンサ３と、液化した冷媒が減圧器４を介して送られるエバポレータ５と、コンデンサ３及びエバポレータ５のそれぞれに送風する送風ファン３ａ・５ａと、エバポレータ５の送風ファン５ａの吐出口に接続する冷風吹出し口５ｂとを設け、前記エバポレータ５で気化した冷媒が圧縮機２に戻される冷凍サイクルを構成する一体形の空気調和機において、前記冷風吹出し口５ｂには、吹出方向を変更可能とする伸縮可能な冷風吐出ダクト７を装着したダクト基部６を取付け、該冷風吐出ダクト７の先端には扁平な冷風吐出部８を備え、該冷風吐出部８の長手方向の寸法は、冷風吐出ダクト７の外径よりも大きくすると共に、該冷風吐出部８の内部に装着したルーバ９は軸９ａを中心に角度が可変可能であることを特徴とする。
【００１０】
また、前記冷風吐出部８にはルーバ角度規制手段８ａを有し、該ルーバ９はこのルーバ角度規制手段８ａによって、吹出し方向を所定の角度に維持できることにより、ルーバ角度規制手段８ａであらかじめ定めた冷風吹出し方向に維持できる。
【００１１】
また、前記冷風吐出ダクト７の先端部と、冷風吐出部８との間に冷風吐出部固定手段１０を備え、該冷風吐出部固定手段１０によって冷風吐出ダクト７の先端から冷風吐出部８を着脱可能にすることにより、種々な形状の冷風吐出部８と付け替えることができる。
【発明の効果】
【００１２】
この発明では、冷風吐出ダクト７の先端に長手方向が冷風吐出ダクト７の外形より大きい扁平な冷風吐出部８を備え、該冷風吐出部８の内部には軸９ａを中心に角度が可変可能なルーバ９が装着してあり、この冷風吐出部８が扁平であるから、冷風吹出し域を広くすることができ、かつ方向性を持たせることができる。また、ルーバ９を装着することで冷風の吹出し方向を変化させることができるから、冷風吹出し域をさらに広くしたり、逆に狭くして強力な冷風を得ることができる。
【００１３】
また、冷風吐出部８にはルーバ角度規制手段８ａを設け、このルーバ角度規制手段８ａによりルーバ９の角度を所定のものに維持できるので、広くなった冷風吹出し域に固定することができる。
【００１４】
また、冷風吐出部８には冷風吐出部８を冷風吐出ダクト７の先端に固定する冷風吐出部固定手段１０を備え、該冷風吐出部８は冷風吐出部固定手段１０により冷風吐出ダクト９から着脱可能とすることができ、種々の形状の冷風吐出部８を付け替えることで、使用者に最適な冷風を得ることが出来る。
【発明を実施するための最良の形態】
【００１５】
実施例を示す図によってこの構成を説明すると、１は空気調和機を構成する局所冷房用の冷風機の枠体、２は枠体１内に収納された冷媒圧縮用の圧縮機、３は圧縮機２で加圧された高温のガス状冷媒が送られるコンデンサ、４はコンデンサ３で放熱して液化した冷媒が減圧される減圧器、５は減圧器４で減圧された液冷媒が送られるエバポレータであり、冷媒はエバポレータ５に送られ気化し、冷媒が気化熱を奪うことによって周囲を冷却する。その後エバポレータ５で気化した冷媒は圧縮機２に戻され、再び圧縮機２で加圧されて液化した冷媒がコンデンサ３に送られて冷凍サイクルを循環している。
【００１６】
３ａは前記コンデンサ３に室内空気を吹き付け通過させる送風ファン、５ａは前記エバポレータ５に室内空気を吹き付け通過させる送風ファン、１１は送風ファン３ａと５ａを駆動するファンモータであり、該ファンモータ１１が回転するとこの送風ファン３ａ、５ａが一緒に回転する。
【００１７】
３ｂは枠体１の背面に設けた温風吹出し口、３ｃは送風ファン３ａの外周を覆う送風スクロールを構成するファンケースであり、前記温風吹出し口３ｂは送風ファン３ａのファンケース３ｃの出口である吐出口に接続して枠体１の後方に温風を吹出す構成となっている。該送風ファン３ａを回転すると室内空気はコンデンサ３を通過し、この時圧縮機２から送られる高温高圧のガス状冷媒が冷却されて液化すると共に、コンデンサ３を通過して高温となった空気はファンケース３ｃによって温風吹出し口３ｂから排出される。
【００１８】
１ａは枠体１の前面板、５ｂは枠体１の前面板１ａに設けた冷風吹出し口であり、この冷風吹出し口５ｂは前記送風ファン５ａの吐出口に接続して枠体１の前方に冷風を吹出す構成となっている。前記減圧器４で減圧された液冷媒はエバポレータ５に送られ気化し、一方、室内空気は送風ファン５ａによってエバポレータ５に送られて、冷媒の気化熱によって冷却される。５ｃは送風ファン５ａの外周を覆う送風スクロールを構成するファンケースであり、エバポレータ５を通過して低温となった空気はファンケース５ｃによって冷風吹出し口５ｂから吹出す。
【００１９】
１２はエバポレータ５の下方に設けたドレンパン、１３は枠体１内の下部に設けたドレンタンク、１４はドレンパン１２とドレンタンク１３をつなぐドレンホースであり、エバポレータ５で冷却される室内空気に含まれる水分は、エバポレータ５の表面に結露してドレン水となってドレンパン１２に滴下する。このドレンパン１２に滴下したドレン水はドレンタンク１３に溜まり、飽和する前に水を捨てる。
【００２０】
６は枠体１の冷風吹出し口５ｂに形成したダクト基部、６ａはダクト基部６の上部に形成した開口、７は開口６ａから上方へ吹出す冷風の方向を任意に変更可能にするフレキシブルな冷風吐出ダクトであり、前記エバポレータ５によって冷却された空気は冷風吹出し口５ｂから吹出し、ダクト基部６の上部に設けた開口６ａを経てフレキシブルな冷風吹出ダクト７により吹出し方向を変更できる。
【００２１】
上記のようにフレキシブルで伸縮可能な冷風吐出ダクト７の先端方向を可変する冷風機又はスポットエアコンと呼ばれる空気調和機は、一般に冷風吐出ダクト７の吹出し方向を上方に向けてから高い位置から側方などの任意方向に向けられており、冷風吐出ダクト７の先端形状は円形で、その円形断面が冷風吹出し域であって、この冷風吹出し域範囲は狭く範囲を変化させることも出来なった。
【００２２】
この発明は上記の問題を解決するもので、８は冷風吐出ダクト７の先端で構成した冷風吐出部であり、該冷風吐出部８を扁平な形状で、長手方向の寸法を冷風吐出ダクト７の外径よりも大きくし、他方の寸法を冷風吐出ダクト７の外径よりも小さくしたことにより、送風ファン５ａによってエバポレータ５を通過して、冷風吐出ダクト７から吹出す冷風の幅が広くなった。
【００２３】
９は冷風吐出部８の内部に冷風吐出部８の長手方向に直交させて装着したルーバ、９ａはルーバ９の角度を変更するときに中心となる軸であり、実施例のルーバ９は２個内装されて軸９ａを中心に角度が可変可能となっており、ルーバ９の角度を変更することにより冷風吐出部８から吹出される冷風の範囲が変更可能となる。
【００２４】
上記のように冷風吐出部８を扁平な形状にすることにより、冷風吹出し域が広くなり広範囲に冷風を届けることができ、長手方向の寸法を冷風吐出ダクト７の外径よりも大きく他方を小さくすることにより、冷風吐出ダクトの断面と同じ形状の従来の冷風吐出部より広範囲で、かつ風速をあまり落すことなく冷風を吹出すことが可能となった。また、冷風
吐出部８が扁平により断面形状に方向性があるので、上下または左右に広く冷風を届かせるといったことができる。
【００２５】
更に、ルーバ９を２個冷風吐出部８内部に装着することにより、冷風の吹出し方向を変化させることが可能となるので、冷風出口方向のルーバ９の先端を長手方向に向けることによって冷風吹出し域を広くでき、逆に先端を近づけることにより風速の強い風を集中して送ることができるので、一種類の冷風吐出部８で様々な冷風を取り出すことが可能となる。
【００２６】
図１に示すように前記枠体１に配置したダクト基部６は、枠体１の前面板１ａに設けた冷風吹出し口５ｂに取付けられており、該冷風吹出し口５ｂは送風ファン５ａのファンケース５ｃの下部よりも更に低い位置に届く大きさに形成してある。この冷風吹出し口５ｂに取付けたダクト基部６は冷風吹出し口５ｂの前方を覆いながら離れるように突出して形成しており、前記開口６ａは前方に突出したダクト基部６の上部に形成されている。
【００２７】
このため、ダクト基部６の開口６ａの位置は枠体１の上面よりも低い位置に配置することができ、フレキシブルな冷風吐出ダクト７は低い位置から湾曲して、短い冷風吐出ダクト７でも先端の届く位置が枠体１から離すことができる。また、冷風吐出ダクト７は枠体１の下方に届きやすくなり、使用者の最適位置に冷風を送り出し易くなった。
【００２８】
図２に示す実施例において、９ｄは冷風吐出部８に設けられて軸９ａと嵌合する軸受、８ａは冷風吐出部８の内面に円弧状に配置された凹凸形状のルーバ角度規制手段、９ｂはルーバ９に設けられた耳であり、軸９ａと軸受９ｄとの嵌合により回動できるルーバー９はルーバ角度規制手段８ａと耳９ｂがかみ合うことにより、ルーバ９の角度が固定される。
【００２９】
このため、ルーバ９は常に所定の角度を維持でき、冷風によりルーバ９が振れるということもないので、冷風吹出し域を所定の範囲に固定することができ、またルーバ９の角度を変えるとき、ルーバ角度規制手段８ａの凸部を耳９ｂが乗り越えることによりクリック感が生まれ操作感が向上し、さらに「パチン」という音が発生するのでルーバ９の角度が変化したということが聴覚で判断することが可能となる。
【００３０】
また、９ｃはルーバ９に設けられた軸９ａを分断するように配置された楕円形状のバネであり、ルーバ９が冷風吐出部８に装着状態のとき、バネ９ｃの楕円形状が歪み元の形状に戻ろうとする軸９ａ方向の応力により、ルーバ９はその装着状態を保持している。
【００３１】
このため、冷風吐出部８の多少の形状のバラつきやそのものの形状変化に対しても楕円形状のバネ９ｃの形状変化で対応して装着可能となるので、冷風吐出部８の寸法公差を比較的粗く設定することができるので、型費を低く抑えることができた。また、ルーバ９の角度を変更する際、バネ９ｃの応力が冷風吐出部８を広げようとしてルーバ角度規制手段８ａを押し下げるので、滑らかに耳９ｂがルーバ角度規制手段８ａの凸部を乗り越えることができ、ルーバ９の角度変更を違和感少なく行うことができる。更に、ルーバ９を冷風吐出部８に取り付けるとき、楕円形状のバネ９ｃは軸９ａの位置を大きく歪ませることができるので、ルーバ９の装着が容易に行うことができるようになった。
【００３２】
図３に示す実施例において、１０は冷風吐出部８を冷風吐出ダクト７の先端に取付けて固定する冷風吐出部固定手段であり、１０ａは冷風吐出部８の端に設けた固定ネジ、１０ｂは冷風吐出ダクト７の先端が取り付く近傍の冷風吐出部８の内部に設けられた内壁である。前記冷風吐出ダクト７の先端は冷風吐出部８の表面の壁と内壁１０ｂに挟まれるように配置され、固定ネジ１０ａで冷風吐出ダクト７の先端が押さえつけられ、固定ネジ１０ａと内壁８ｂとの間で冷風吐出ダクト７の先端が狭着され、冷風吐出ダクト７と冷風吐出部８を接合し固定している。
【００３３】
このため、冷風吐出部固定手段１０を構成する固定ねじ１０ａと内壁１０ｂとの間で冷風吐出ダクト７を挟むような形状の冷風吐出部８は、この固定ねじ１０ａを締め付けたり緩めたりすることにより、冷風吐出部８が適宜回転して冷風吐出ダクト７の最適位置に確実に固定でき、また、簡単に２部品を分離することができる。このように冷風吐出ダクト７から冷風吐出部８の着脱が可能となるので、種々の形状の冷風吐出部８が付け替えて使用することができ、様々な冷風を取り出すことができるようになり、更にもし冷風吐出部８が破損しても容易に部品を交換することができる。
【図面の簡単な説明】
【００３４】
【図１】この発明の実施例を示す空気調和機の断面図である。
【図２】この発明の実施例を示す冷風吹出部の斜視図である。
【図３】この発明の実施例を示す冷風吐出部の取付状態を示す断面図である。
【符号の説明】
【００３５】
１    枠体
２    圧縮機
３    コンデンサ
３ａ  送風ファン
４    減圧器
５    エバポレータ
５ａ  送風ファン
５ｂ  冷風吹出し口
６    ダクト基部
７    冷風吐出ダクト
８    冷風吐出部
８ａ  ルーバ角度規制手段
９    ルーバ
９ａ  軸
１０  冷風吐出部固定手段
【図１】
2005249288.tif 000003
【図２】
2005249288.tif 000004
【図３】
2005249288.tif 000005